(57)【要約】【課題】使用者の顔サイズにかかわらずマスク本体が顔の目周りに対して適度にフィットしやすい構造の温熱具を提供する。【解決手段】温熱具１００は、両目を覆うマスク本体１０と、マスク本体１０に設けられた発熱体２０と、マスク本体１０の横幅方向における両端部に対して各々の一端部が固定されていて耳に掛けられる一対の耳掛け部３０と、を備え、温熱具１００の上部が温熱具１００の下部よりも横幅方向に伸びやすく構成されている。【選択図】図１
2018108195.tif 000002
【特許請求の範囲】
【請求項１】
両目を覆うマスク本体と、前記マスク本体に設けられた発熱体と、前記マスク本体の横幅方向における両端部に対して各々の一端部が固定されていて耳に掛けられる一対の耳掛け部と、を備える温熱具であって、
当該温熱具の上部が当該温熱具の下部よりも横幅方向に伸びやすく構成されている温熱具。
【請求項２】
当該温熱具の上部を当該温熱具の下部よりも横幅方向に伸びやすくする伸展構造部が、前記マスク本体に対する前記耳掛け部の固定部の近傍に配置されている請求項１に記載の温熱具。
【請求項３】
前記伸展構造部は、前記耳掛け部の上部に形成された上部開口を含んで構成されている請求項２に記載の温熱具。
【請求項４】
当該温熱具の上部は、当該温熱具の下部と比べて、横幅方向の伸展性が高い材により構成されている請求項１から３のいずれか一項に記載の温熱具。
【請求項５】
前記マスク本体の横幅方向の中央部において、上縁部に形成されている上側切れ込み部と、下縁部に形成されている下側切れ込み部と、を備え、
前記上側切れ込み部が前記下側切れ込み部よりも深い請求項１から４のいずれか一項に記載の温熱具。
【請求項６】
前記一対の耳掛け部の各々は、当該耳掛け部を耳に掛けるための耳掛け用開口を有し、
前記耳掛け用開口は、前記耳掛け部の横幅方向において、前記マスク本体に対する前記耳掛け部の固定部から遠ざかる方向に下り傾斜している請求項１から５のいずれか一項に記載の温熱具。
【請求項７】
前記マスク本体に対する前記耳掛け部の固定部は、前記マスク本体の上下方向における中央位置よりも下方にずれて配置されている請求項１から６のいずれか一項に記載の温熱具。
【請求項８】
前記マスク本体に対する前記一対の耳掛け部の固定部は、それぞれ上下に延在しているとともに、互いに平行に延在している請求項１から７のいずれか一項に記載の温熱具。
【発明の詳細な説明】
【技術分野】
【０００１】
本発明は、温熱具に関する。
【背景技術】
【０００２】
温熱具として、着用時に両目を覆うマスク本体と、マスク本体に設けられた発熱体と、マスク本体の横幅方向における両端部に設けられた一対の耳掛け部と、を備えるタイプのものがある（例えば特許文献１）。
この種の温熱具は、一対の耳掛け部を使用者の左右の耳のそれぞれに引っ掛けることによって着用することでき、当該温熱具の着用時には発熱体によって使用者の目周りを温めることができる。
【先行技術文献】
【特許文献】
【０００３】
【特許文献１】特開２００８−２９５７７９号公報
【発明の概要】
【発明が解決しようとする課題】
【０００４】
ところで、上述のような温熱具は、使用者の顔サイズにかかわらずマスク本体が顔の目周りに対して適度にフィットすることが好ましい。
しかしながら、本発明者等の検討によれば、特許文献１等の温熱具では、そのような要求に関し、なお改善の余地がある。
【０００５】
本発明は、上記の課題に鑑みてなされたものであり、使用者の顔サイズにかかわらずマスク本体が顔の目周りに対して適度にフィットしやすい構造の温熱具に関する。
【課題を解決するための手段】
【０００６】
本発明は、両目を覆うマスク本体と、前記マスク本体に設けられた発熱体と、前記マスク本体の横幅方向における両端部に対して各々の一端部が固定されていて耳に掛けられる一対の耳掛け部と、を備える温熱具であって、
当該温熱具の上部が当該温熱具の下部よりも横幅方向に伸びやすく構成されている温熱具を提供する。
【発明の効果】
【０００７】
本発明によれば、使用者の顔サイズにかかわらずマスク本体が顔の目周りに対して適度にフィットしやすくなる。
【図面の簡単な説明】
【０００８】
【図１】第１実施形態に係る温熱具の平面図であり、耳掛け部を展開した状態を示す。
【図２】第１実施形態に係る温熱具の裏面図であり、耳掛け部を展開した状態を示す。
【図３】第１実施形態に係る温熱具の平面図であり、耳掛け部を展開する前の折り畳み状態を示す。
【図４】第１実施形態に係る温熱具の断面図である。
【図５】第１実施形態に係る温熱具の使用状態の例を示す側面図である。
【図６】第１実施形態の変形例１に係る温熱具の平面図であり、耳掛け部を展開した状態を示す。
【図７】第１実施形態の変形例２に係る温熱具の平面図であり、耳掛け部を展開した状態を示す。
【図８】第１実施形態の変形例３に係る温熱具の平面図であり、耳掛け部を展開した状態を示す。
【図９】第１実施形態の変形例４に係る温熱具の平面図であり、耳掛け部を展開した状態を示す。
【図１０】第１実施形態の変形例５に係る温熱具の平面図であり、耳掛け部を展開した状態を示す。
【図１１】第１実施形態の変形例６に係る温熱具の平面図であり、耳掛け部を展開した状態を示す。
【図１２】第２実施形態に係る温熱具の平面図であり、耳掛け部を展開した状態を示す。
【図１３】第２実施形態の変形例１に係る温熱具の平面図であり、耳掛け部を展開した状態を示す。
【図１４】第３実施形態に係る温熱具の平面図であり、耳掛け部を展開した状態を示す。
【発明を実施するための形態】
【０００９】
以下、本発明の実施形態について、図面を用いて説明する。なお、すべての図面において、同様の構成要素には同一の符号を付し、重複する説明は適宜に省略する。
【００１０】
〔第１実施形態〕
先ず、図１から図５を用いて第１実施形態を説明する。
なお、図４に示す断面の位置は、図３に示すＡ−Ａ線の位置に相当する。ただし、図４では図３とは異なり、一対の耳掛け部３０がマスク本体１０から離間している。
【００１１】
本実施形態に係る温熱具１００は、両目を覆うマスク本体１０と、マスク本体１０に設けられた発熱体２０と、マスク本体１０の横幅方向における両端部に対して各々の一端部が固定されていて耳に掛けられる一対の耳掛け部３０と、を備える温熱具１００である。温熱具１００は、温熱具１００の上部が温熱具１００の下部よりも横幅方向に伸びやすく構成されている。
【００１２】
マスク本体１０は、例えば、左目を覆う左目覆い部１０ａと、右目を覆う右目覆い部１０ｂと、を有している。左目覆い部１０ａ及び右目覆い部１０ｂの平面形状は特に限定されないが、例えば、それぞれ角丸の略正方形状に形成されている。また、左目覆い部１０ａと右目覆い部１０ｂとは、互いにほぼ同一の形状及び寸法に形成されている。左目覆い部１０ａと右目覆い部１０ｂとは、図１及び図２において、左右に並んで配置されている。
【００１３】
また、本明細書において、上部とは、上下方向における中心位置よりも上側の部位を意味し、下部とは、上下方向における中心位置よりも下側の部位を意味する。したがって、マスク本体１０の上部及び下部は、マスク本体１０において、上下方向における当該マスク本体１０の中心位置よりも上側の部位及び下側の部位をそれぞれ意味する。同様に、耳掛け部３０の上部及び下部は、耳掛け部３０において、上下方向における当該耳掛け部３０の中心位置よりも上側の部位及び下側の部位をそれぞれ意味する。
【００１４】
また、本明細書において、横幅方向とは、図１及び図２に示すようにマスク本体１０を平坦にした状態において、左目覆い部１０ａと右目覆い部１０ｂとの並び方向に一致する方向である。
本実施形態の場合、横幅方向は、一対の耳掛け部３０を展開して温熱具１００の全体を平坦にした状態において、一方の耳掛け部３０から他方の耳掛け部３０に向かう方向とも一致している。
すなわち、横幅方向は、図１及び図２における左右方向である。
【００１５】
また、本明細書において、上側とは、直立した使用者が温熱具１００を着用した状態で上側となる方向を意味し、下側とは、直立した使用者が温熱具１００を着用した状態で下側となる方向を意味する。上側及び下側は、図１及び図２における上側及び下側である。
【００１６】
マスク本体１０は、横長の形状に形成されている。
マスク本体１０は、可撓性の（柔軟な）シート材により構成されている。
マスク本体１０は、伸展性を有することが好ましく、伸縮性を有することが更に好ましい。
特に、マスク本体１０は、横幅方向に伸展性を有することが好ましく、横幅方向に伸縮性を有することが更に好ましい。
【００１７】
より詳細には、マスク本体１０は、温熱具１００の着用時に顔側に位置する第１シート１１と、着用時に顔とは反対側に位置する第２シート１２と、を備えて構成されている。第１シート１１及び第２シート１２の各々は、単層のシートにより構成されていてもよいし、複数のシートの積層体であってもよい。
マスク本体１０を構成するシート材（第１シート１１、第２シート１２）の材料としては、例えば、不織布、織布、その他の編み物、ポリエチレンやウレタン等の樹脂フィルム、多孔質体、それらの任意の２種以上の組み合わせ等が挙げられる。
【００１８】
第１シート１１と第２シート１２とは、互いに同一の平面形状及び寸法に形成されているとともに、相互に重ね合わされ、且つ、接合部１３において相互に接合されている。第１シート１１と第２シート１２とは、粘着又は接着により接合されていてもよいし、ヒートシールにより接合されていてもよい。
接合部１３は、例えば、マスク本体１０の（第１シート１１及び第２シート１２の）周縁部の全周と、マスク本体１０の横幅方向における中央部の上端から下端に亘る範囲と、に配置されている。すなわち、接合部１３は、左目覆い部１０ａの周縁部と、右目覆い部１０ｂの周縁部と、に配置されている。
【００１９】
左目覆い部１０ａにおいて周縁部を除く領域、すなわち、左目覆い部１０ａの中央部においては、第１シート１１と第２シート１２とが相互に非接合となっており、当該領域において、第１シート１１と第２シート１２との間隙は、発熱体２０を収容する収容空間１８を構成している。
右目覆い部１０ｂにおいて周縁部を除く領域、すなわち、右目覆い部１０ｂの中央部においては、第１シート１１と第２シート１２とが相互に非接合となっており、当該領域において、第１シート１１と第２シート１２との間隙は、発熱体２０を収容する収容空間１８を構成している。
すなわち、温熱具１００は、左右一対の発熱体２０を備えており、一方の発熱体２０は左目覆い部１０ａの収容空間１８に、他方の発熱体２０は右目覆い部１０ｂの収容空間１８に、それぞれ収容されている。よって、左右の発熱体２０は、マスク本体１０の内部に保持されている。
【００２０】
マスク本体１０の横幅方向における中央部の上縁部には、マスク本体１０の上縁から下方に延びる上側スリット１４が形成されている。マスク本体１０の横幅方向における中央部の下縁部には、マスク本体１０の下縁から上方に延びる下側スリット１５が形成されている。
本実施形態の場合、上側スリット１４の長さ寸法（上下寸法）よりも下側スリット１５の長さ寸法（上下寸法）の方が大きい。すなわち、上側スリット１４よりも下側スリット１５の方が深い。
上側スリット１４及び下側スリット１５は、左目覆い部１０ａと右目覆い部１０ｂとの境界位置に配置されている。
上側スリット１４は、第１シート１１及び第２シート１２に形成されており、第１シート１１の上側スリット１４と第２シート１２の上側スリット１４とは、平面視において互いに重なっている。
同様に、下側スリット１５は、第１シート１１及び第２シート１２に形成されており、第１シート１１の下側スリット１５と第２シート１２の下側スリット１５とは、平面視において互いに重なっている。
【００２１】
発熱体２０は、例えば図４に示すように、第１被覆シート２１と、第２被覆シート２２と、第１被覆シート２１と第２被覆シート２２との間に保持されているシート状の発熱部２３と、を備えて構成されている。
発熱体２０の平面形状は、特に限定されないが、例えば、角丸の略正方形状に形成されている。
【００２２】
第１被覆シート２１と第２被覆シート２２とは、互いに同一の形状及び寸法に形成されている。第１被覆シート２１と第２被覆シート２２とは、それらの外形線が一致するように互いに重ね合わされており、且つ、それらの周縁部どうしが相互に接合されている。これにより、第１被覆シート２１と第２被覆シート２２とによって、発熱部２３を内部に収容する収容体が構成されている。第１被覆シート２１と第２被覆シート２２との接合は、粘着又は接着によりなされていてもよいし、ヒートシールによりなされていてもよい。
第１被覆シート２１及び第２被覆シート２２の平面形状は、例えば、それぞれ角丸の略正方形状に形成されている。
第１被覆シート２１と第２被覆シート２２とのうち、第１被覆シート２１は、第１シート１１側、すなわち温熱具１００の着用時に顔側となる方に配置されており、第２被覆シート２２は、第２シート１２側、すなわち着用時に顔側とは反対側となる方に配置されている。
【００２３】
発熱部２３は、被酸化性金属を含んで構成されており、この被酸化性金属が酸素と接触することによる酸化反応で生じた熱を利用して、加熱された水蒸気を発生する部位である。発熱部２３は、被酸化性金属、反応促進剤、電解質及び水を含んでいる。
発熱部２３の平面形状は、例えば、略正方形状に形成されている。発熱部２３は、第１被覆シート２１と第２被覆シート２２とにより構成される収容体の内部、すなわち第１被覆シート２１と第２被覆シート２２との間隙に保持されている。
【００２４】
発熱体２０は、図１及び図４に示す接合部２４において、マスク本体１０に対して接合されている。接合部２４は、発熱体２０の横幅方向における一部の領域に配置されている。なお、図１においては、平面視において接合部２４が存在する領域にハッチングを付している。
ここで、発熱体２０の剛性は、マスク本体１０の剛性に比して大きく、発熱体２０はマスク本体１０と比べて伸びにくいが、接合部２４は発熱体２０の横幅方向における一部の領域に配置されている。このため、マスク本体１０の伸縮が発熱体２０によって拘束される範囲を制限でき、発熱体２０における接合部２４以外の部位は、マスク本体１０に対して相対的に移動可能となる。よって、マスク本体１０が伸展性又は伸縮性を有する場合、マスク本体１０において接合部２４以外の部位は、容易に伸展又は伸縮できるようになっている。
【００２５】
より詳細には、接合部２４は、例えば、各発熱体２０において、マスク本体１０の幅方向における中心側の端縁に配置されている。
更に詳細には、例えば、発熱体２０の第２被覆シート２２の外面のうち、マスク本体１０の幅方向における中心側の端縁が、当該端縁の上端から下端に亘って、第２シート１２の内面に対して接合部２４において接合している。
【００２６】
ただし、本発明において、接合部２４は発熱体２０の全面に亘って配置されていても良い。
また、発熱体２０は、第２シート１２の内面ではなく第１シート１１の内面に対して接合部２４において接合していても良いし、第１シート１１の内面と第２シート１２の内面との双方に対して接合部２４において接合していても良い。
また、第１シート１１の内面は、全面に亘って、発熱体２０又は第２シート１２に対して接合部２４又は接合部１３において接合していてもよい。
同様に、第２シート１２の内面は、全面に亘って、発熱体２０又は第１シート１１に対して接合部２４又は接合部１３において接合していてもよい。
つまり、発熱体２０の片面又は両面が、全面に亘って、第１シート１又は第２シート１２に対して接合されていても良い。
【００２７】
ここで、第１被覆シート２１と第２被覆シート２２とのうちの少なくとも一方は通気性を有する材料により構成されている。本実施形態の場合、第１被覆シート２１は第２被覆シート２２と比べてより通気性が高い。なお、第２被覆シート２２は通気性を有していてもよいし、通気性を実質的に有していなくてもよい。
また、第１被覆シート２１は透湿性シートである。一方、第２被覆シート２２は、透湿性シートであるか、又は非透湿性シートである。第２被覆シート２２が透湿性シートである場合、該第２被覆シート２２の通気性は、第１被覆シート２１の通気性と同じか、第１被覆シート２１の通気性よりも低くなっているか、第１被覆シート２１の通気性よりも高くなっている。
【００２８】
また、第１シート１１は通気性及び透湿性を有する材料により構成されている。第２シート１２は、通気性を有していなくてもよいし、通気性を実質的に有していなくてもよい。また、第２シート１２は透湿性を有していてもよいし、透湿性を実質的に有していなくてもよい。
【００２９】
一対の耳掛け部３０の各々は、可撓性の（柔軟な）シート材である耳掛け部構成シート３１により構成されている。
耳掛け部３０は、横幅方向に伸展性を有しており、横幅方向に伸縮性を有することが更に好ましい。
耳掛け部構成シート３１は、単層のシートにより構成されていてもよいし、複数のシートの積層体であってもよい。
耳掛け部構成シート３１としては、不織布等の繊維材料からなる繊維シートを用いることができる。
【００３０】
一対の耳掛け部３０の各々の一端部が、固定部３３においてマスク本体１０の横幅方向における両端部に対して固定されている。すなわち、一方の耳掛け部３０の一端部が、固定部３３において左目覆い部１０ａの一端部に対して固定されている。同様に、他方の耳掛け部３０の一端部が、固定部３３において右目覆い部１０ｂの一端部に対して固定されている。
より詳細には、例えば、図４に示すように、耳掛け部３０は、第１シート１１において顔側となる面に対して固定部３３にて接合により固定されている。
マスク本体１０に対する耳掛け部３０の固定は、ヒートシールによってなされていてもよいし、粘着又は接着によりなされていてもよい。
【００３１】
固定部３３の平面形状は特に限定されないが、例えば、固定部３３は、上下に長尺に形成されている（上下に延在している）。
本実施形態の場合、図１に示すようにマスク本体１０を平坦にした状態で、一方の固定部３３の長手軸Ｘ１と他方の固定部３３の長手軸Ｘ２とが互いに平行に延在するようになっている。
すなわち、マスク本体１０に対する一対の耳掛け部３０の固定部３３は、それぞれ上下に延在しているとともに、互いに平行に延在している。
【００３２】
なお、以下の説明では、耳掛け部３０において、マスク本体１０側（左目覆い部１０ａ側又は右目覆い部１０ｂ側）を基端（基端側）、マスク本体１０から遠い側を先端（先端側）と称する場合がある。つまり、耳掛け部３０における基端側の部位がマスク本体１０に対して固定部３３にて固定されている。
【００３３】
耳掛け部３０の平面形状は特に限定されないが、例えば、左目覆い部１０ａ及び右目覆い部１０ｂと同様の形状に形成されている。
例えば、図３に示すように温熱具１００が折り畳まれた状態（展開される前の状態）において、左目覆い部１０ａ及び右目覆い部１０ｂのそれぞれに対して、一方ずつの耳掛け部３０が重なる。この状態では、左目覆い部１０ａの外形線と、当該左目覆い部１０ａに重なっている耳掛け部３０の外形線と、が平面視において相互に一致し、且つ、右目覆い部１０ｂの外形線と、当該右目覆い部１０ｂに重なっている耳掛け部３０の外形線と、が平面視において相互に一致するようになっている。
【００３４】
また、図３の状態では、例えば、一対の耳掛け部３０の先端どうしが繋がっている。一対の耳掛け部３０の先端には、上下に延在する易破断部３６が形成されている。耳掛け部３０を構成する耳掛け部構成シート３１を易破断部３６に沿って容易に破断し、一対の耳掛け部３０どうしを分離させることができるようになっている。
この易破断部３６は、例えば、耳掛け部３０を構成する耳掛け部構成シート３１に形成されたハーフカット溝又はミシン目により構成されている。
【００３５】
一対の耳掛け部３０の各々は、当該耳掛け部３０を耳に掛けるための耳掛け用開口３２を有している。
本実施形態の場合、耳掛け用開口３２は、耳掛け部３０の表裏を貫通している貫通孔である。ただし、本発明は、この例に限らず、耳掛け用開口３２は、耳掛け部３０に形成されたスリットであってもよい。
耳掛け用開口３２の形状は特に限定されないが、例えば、耳掛け用開口３２は横幅方向に長尺に形成されている。また、耳掛け用開口３２の上下幅寸法は、耳掛け部３０の先端側に向けて広がっている。
耳掛け用開口３２は、例えば、上下方向において耳掛け部３０の中央部に配置されている。
本実施形態の場合、図１に示すように一対の耳掛け部３０を展開して温熱具１００の全体を平坦にした状態において、一方の耳掛け用開口３２の長手軸Ｘ３と、他方の耳掛け用開口３２の長手軸Ｘ４は、それぞれ横幅方向に延在し、長手軸Ｘ３と長手軸Ｘ４とは互いに同一直線上に位置するようになっている。
【００３６】
一対の耳掛け部３０の各々は、耳掛け用開口３２と連続する第１耳掛け用スリット３４及び第２耳掛け用スリット３５を有している。
このうち第１耳掛け用スリット３４は、耳掛け用開口３２の下縁から下方に延びている。
第２耳掛け用スリット３５は、耳掛け用開口３２の先端縁から先端側に延びている。
例えば、第２耳掛け用スリット３５よりも第１耳掛け用スリット３４の方が長い。
【００３７】
図１及び図２に示すように、温熱具１００の上部を当該温熱具１００の下部よりも横幅方向に伸びやすくする伸展構造部（本実施形態の場合、スリット４１）が、マスク本体１０に対する耳掛け部３０の固定部３３の近傍に配置されている。
【００３８】
また、左目覆い部１０ａと耳掛け部３０との固定部３３の近傍は、左目覆い部１０ａの横幅方向における中心位置よりも当該固定部３３に近い領域、又は、左目覆い部１０ａに固定された耳掛け部３０の横幅方向における中心位置よりも当該固定部３３に近い領域とすることができる。
同様に、右目覆い部１０ｂと耳掛け部３０との固定部３３の近傍は、右目覆い部１０ｂの横幅方向における中心位置よりも当該固定部３３に近い領域、又は、右目覆い部１０ｂに固定された耳掛け部３０の横幅方向における中心位置よりも当該固定部３３に近い領域とすることができる。
【００３９】
本実施形態の場合、伸展構造部は、耳掛け部３０の上部に形成された上部開口を含んで構成されている。
ここで、上部開口とは、スリット又は貫通孔などのように、温熱具１００を横幅方向に引っ張ったときに開口になりうる構造であり、本実施形態の場合、スリット４１である。
スリット４１は、上下方向の成分を持つ方向に延在していればよい。したがって、スリット４１の延在方向は、上下方向であってもよいし、上下方向に対して傾斜していてもよい。
例えば、各耳掛け部３０には、複数（例えば３つ）のスリット４１が形成されており、これら複数のスリット４１は互いに並列に延在している。本実施形態の場合、複数のスリット４１は、横幅方向において互いに異なる位置に配置されている。
各スリット４１の両端は、耳掛け部３０の外形線の内側、且つ、耳掛け用開口３２の内周縁の外側に位置している。すなわち、各スリット４１は、耳掛け部３０の外端及び内端に達していない。
【００４０】
なお、温熱具１００は、使用前の状態では、軟質包装材により構成された包装袋（不図示）に封入されている。使用時に包装袋から温熱具１００が取り出されることによって、発熱体２０の発熱部２３が空気中の酸素と接触し、該発熱部２３が発熱するとともに水蒸気（蒸気温熱）を発生し、この水蒸気が第１被覆シート２１及び第１シート１１を介して外部に放出されるようになっている。
よって、使用者が温熱具１００を着用することによって、この水蒸気が使用者の顔面に供給されるようになっている。これにより、蒸しタオルで使用者の顔面を温めるような具合になる。
このように、本実施形態に係る温熱具１００は、蒸気温熱具である。
【００４１】
図５に示すように、温熱具１００の使用時には、マスク本体１０の第１シート１１を顔側にして、左目覆い部１０ａ及び右目覆い部１０ｂをそれぞれ左右の目５２の周りにあてがい、一対の耳掛け部３０をそれぞれ左右の耳５４に引っ掛ける。
この際、スリット４１の形成箇所において耳掛け部３０が大きく伸展するため、耳掛け部３０を容易に耳５４に引っ掛けることができ、且つ、マスク本体１０を顔５１の目周りに対して容易にフィットさせることができる。ここで、目周りとは、左右の目５２及びその周囲近傍の領域である。
【００４２】
また、スリット４１は固定部３３の近傍に配置されているので、固定部３３の近傍において耳掛け部３０が容易に変形できる。よって、マスク本体１０の横幅方向に延びる軸線Ｘ５を略水平に維持しつつ、一方の耳掛け用開口３２の長手軸Ｘ３が耳掛け部３０の先端に向けて下り傾斜するようにできる。また、図５には示されないが、他方の耳掛け用開口３２の長手軸Ｘ４（図１参照）についても、耳掛け部３０の先端に向けて下り傾斜するようできる。
これにより、顔５１の目周りに対するマスク本体１０の良好なフィット性と、耳掛け部３０から耳５４に作用する負荷の軽減と、を両立させることができる。
【００４３】
なお、耳掛け用開口３２の周囲には第１耳掛け用スリット３４及び第２耳掛け用スリット３５（図１等参照）が形成されているため、耳掛け部３０が線ではなく面で耳５４に当たるようにできる。よって、耳５４に対する耳掛け部３０の触感がよりソフトになる。
また、マスク本体１０の横幅方向の中央部の上縁部と下縁部にはそれぞれ上側スリット１４及び下側スリット１５が形成されているので、顔５１の形状に沿って温熱具１００が変形しやすく、温熱具１００のフィット感が向上する。特に、下側スリット１５が形成されていることにより、マスク本体１０と鼻５３との干渉を抑制することができる。
【００４４】
以上のような第１実施形態に係る温熱具１００によれば、温熱具１００の上部が温熱具１００の下部よりも横幅方向に伸びやすいため、使用者の顔サイズにかかわらずマスク本体１０が顔の目周りに対して適度にフィットしやすくなる。
【００４５】
また、伸展構造部としてのスリット４１が固定部３３の近傍に配置されているので、図５に示すように、軸線Ｘ５を略水平にしつつ、耳掛け用開口３２の長手軸Ｘ３、Ｘ４を軸線Ｘ５に対して傾斜させることが容易となる。
【００４６】
ここで、マスク本体１０と耳掛け部３０とが相互にヒートシールにより接合しにくい材料により構成されている場合、例えば、マスク本体１０に粘着剤又は接着剤を塗布してマスク本体１０と耳掛け部３０とを固定部３３にて相互に接合することができる。この場合、本実施形態のように、一対の固定部３３が互いに平行に延在している方が、マスク本体１０に対する粘着剤又は接着剤の塗布が容易になる。
一方、固定部３３が互いに平行になっていると、図５に示したような軸線Ｘ５に対する長手軸Ｘ３の傾斜角度、並びに、軸線Ｘ５に対する長手軸Ｘ４の傾斜角度が、生じにくくなる。これに対し、本実施形態のように、温熱具１００の上部が温熱具１００の下部よりも横幅方向に伸びやすくなっていることにより、一対の固定部３３が互いに平行に延在している場合であっても、図５に示したような軸線Ｘ５に対する長手軸Ｘ３の傾斜角度、並びに、軸線Ｘ５に対する長手軸Ｘ４の傾斜角度を容易に生じさせることができる。すなわち、温熱具１００の製造容易性と、マスク本体１０のフィット感の確保ないしは向上と、を両立させることができる。
【００４７】
＜第１実施形態の変形例１＞
次に、図６を用いて第１実施形態の変形例１を説明する。
本変形例に係る温熱具１００は、以下に説明する点で、上記の第１実施形態に係る温熱具１００と相違しており、その他の点では第１実施形態に係る温熱具１００と同様に構成されている。
【００４８】
本変形例の場合、温熱具１００は、耳掛け部３０の下部に形成された下部開口として、スリット３７を有している。
ただし、スリット３７よりも、スリット４１の方が、数が多いか、又は、総延長が長い。
これにより、耳掛け部３０の上部が耳掛け部３０の下部よりも横幅方向に伸びやすい構成、すなわち温熱具１００の上部が温熱具１００の下部よりも横幅方向に伸びやすい構成が実現されている。
【００４９】
＜第１実施形態の変形例２＞
次に、図７を用いて第１実施形態の変形例２を説明する。
本変形例に係る温熱具１００は、以下に説明する点で、上記の第１実施形態に係る温熱具１００と相違しており、その他の点では第１実施形態に係る温熱具１００と同様に構成されている。
【００５０】
本変形例の場合、耳掛け部３０には、スリット４１の代わりに貫通孔４２が形成されている。図６の例では、各耳掛け部３０について、複数（例えば２つ）の貫通孔４２が形成されている。貫通孔４２が形成されていることによって、耳掛け部３０の上部は、横幅方向の伸展性が良好になっている。
つまり、耳掛け部３０の上部が耳掛け部３０の下部よりも横幅方向に伸びやすい構成、すなわち温熱具１００の上部が温熱具１００の下部よりも横幅方向に伸びやすい構成が実現されている。
【００５１】
これら貫通孔４２は、例えば、横幅方向において互いに異なる位置に配置されている。
貫通孔４２の平面形状は特に限定されないが、例えば、図６に示すように上下方向に長尺な長孔又は楕円形状とすることができる。
また、図示は省略するが、複数の貫通孔４２が上下方向に並んで配置されていてもよい。この場合、例えば、貫通孔４２の平面形状は円形とすることも好ましい。
【００５２】
本変形例の場合も、温熱具１００の上部を当該温熱具１００の下部よりも横幅方向に伸びやすくする伸展構造部（本変形例の場合、貫通孔４２）が、マスク本体１０に対する耳掛け部３０の固定部３３の近傍に配置されている。
また、伸展構造部は、耳掛け部３０の上部に形成された上部開口（本変形例の場合、貫通孔４２）を含んで構成されている。
【００５３】
本変形例に係る温熱具１００によっても、上記の第１実施形態と同様の効果が得られる。
【００５４】
＜第１実施形態の変形例３＞
次に、図８を用いて第１実施形態の変形例３を説明する。
本変形例に係る温熱具１００は、以下に説明する点で、上記の第１実施形態に係る温熱具１００と相違しており、その他の点では第１実施形態に係る温熱具１００と同様に構成されている。
【００５５】
本変形例の場合、耳掛け部３０の上部には、スリット４１の代わりに、ひだ４３が形成されている。ひだ４３が形成されていることによって、耳掛け部３０の上部は、横幅方向の伸展性が良好になっている。
つまり、耳掛け部３０の上部が耳掛け部３０の下部よりも横幅方向に伸びやすい構成、すなわち温熱具１００の上部が温熱具１００の下部よりも横幅方向に伸びやすい構成が実現されている。
【００５６】
本変形例の場合も、温熱具１００の上部を当該温熱具１００の下部よりも横幅方向に伸びやすくする伸展構造部（本変形例の場合、ひだ４３）が、マスク本体１０に対する耳掛け部３０の固定部３３の近傍に配置されている。
【００５７】
本変形例に係る温熱具１００によっても、上記の第１実施形態と同様の効果が得られる。
【００５８】
＜第１実施形態の変形例４＞
次に、図９を用いて第１実施形態の変形例４を説明する。
本変形例に係る温熱具１００は、以下に説明する点で、上記の第１実施形態に係る温熱具１００と相違しており、その他の点では第１実施形態に係る温熱具１００と同様に構成されている。
【００５９】
図９に示すように、本変形例の場合、一対の耳掛け部３０を展開して温熱具１００の全体を平坦にした状態において、耳掛け用開口３２の長手軸Ｘ３、Ｘ４が、それぞれ耳掛け部３０の先端側に向けて下り傾斜している。
すなわち、耳掛け用開口３２は、耳掛け部３０の横幅方向において、マスク本体１０に対する耳掛け部３０の固定部３３から遠ざかる方向に下り傾斜している。
これにより、耳掛け部３０を耳に掛けやすくなっているとともに、マスク本体１０が顔にフィットしやすくなっている。
【００６０】
＜第１実施形態の変形例５＞
次に、図１０を用いて第１実施形態の変形例５を説明する。
本変形例に係る温熱具１００は、以下に説明する点で、上記の第１実施形態に係る温熱具１００と相違しており、その他の点では第１実施形態に係る温熱具１００と同様に構成されている。
【００６１】
図１０に示すように、本変形例の場合、マスク本体１０を平坦にした状態において、固定部３３の上下方向における中央位置Ｐ２が、マスク本体１０の上下方向における中央位置Ｐ１よりも下方に位置している。
すなわち、マスク本体１０に対する耳掛け部３０の固定部３３は、マスク本体１０の上下方向における中央位置Ｐ１よりも下方にずれて配置されている。
これにより、耳掛け部３０を耳に掛けやすくなっているとともに、マスク本体１０が顔にフィットしやすくなっている。
【００６２】
＜第１実施形態の変形例６＞
次に、図１１を用いて第１実施形態の変形例６を説明する。
本変形例に係る温熱具１００は、以下に説明する点で、上記の第１実施形態に係る温熱具１００と相違しており、その他の点では第１実施形態に係る温熱具１００と同様に構成されている。
【００６３】
図１１に示すように、本変形例の場合、マスク本体１０を平坦にした状態において、各固定部３３の長手軸Ｘ１、Ｘ２は、上方に向けて互いに遠ざかっている（下方に向けて互いに近づいている）。そして、各耳掛け部３０は、先端側に向けて下り傾斜している。
これにより、耳掛け部３０を耳に掛けやすくなっているとともに、マスク本体１０が顔にフィットしやすくなっている。
【００６４】
〔第２実施形態〕
次に、図１２を用いて第２実施形態を説明する。
本実施形態に係る温熱具１００は、以下に説明する点で、上記の第１実施形態に係る温熱具１００と相違しており、その他の点では第１実施形態に係る温熱具１００と同様に構成されている。
【００６５】
図１２に示すように、本実施形態に係る温熱具１００においては、上側スリット１４の方が下側スリット１５よりも深く形成されている。
すなわち、温熱具１００は、マスク本体１０の横幅方向の中央部において、上縁部に形成されている上側切れ込み部（本実施形態の場合、上側スリット１４）と、下縁部に形成されている下側切れ込み部（本実施形態の場合、下側スリット１５）と、を備えており、上側切れ込み部が下側切れ込み部よりも深い。
これにより、マスク本体１０の上部がマスク本体１０の下部よりも横幅方向に伸びやすい構成、すなわち温熱具１００の上部が温熱具１００の下部よりも横幅方向に伸びやすい構成が実現されている。
【００６６】
なお、本実施形態の場合、例えば、図１２に示すように、一対の耳掛け部３０を展開して温熱具１００の全体を平坦にした状態において、耳掛け用開口３２の長手軸Ｘ３、Ｘ４が、それぞれ耳掛け部３０の先端側に向けて下り傾斜している。
これにより、耳掛け部３０を耳に掛けやすくなっているとともに、マスク本体１０が顔にフィットしやすくなっている。
【００６７】
＜第２実施形態の変形例１＞
次に、図１３を用いて第２実施形態の変形例１を説明する。
本変形例に係る温熱具１００は、以下に説明する点で、上記の第２実施形態に係る温熱具１００と相違しており、その他の点では第２実施形態に係る温熱具１００と同様に構成されている。
【００６８】
本変形例の場合、マスク本体１０には、上側スリット１４の代わりにＶ字状又はＵ字状などの形状の上側切欠形状部１６が形成されているとともに、下側スリット１５の代わりにＶ字状又はＵ字状などの形状の下側切欠形状部１７が形成されている。
ここで、上側切欠形状部１６は下側切欠形状部１７よりも深く形成されている。
すなわち、温熱具１００は、マスク本体１０の横幅方向の中央部において、上縁部に形成されている上側切れ込み部（本変形例の場合、上側切欠形状部１６）と、下縁部に形成されている下側切れ込み部（本変形例の場合、下側切欠形状部１７）と、を備えており、上側切れ込み部が下側切れ込み部よりも深い。
これにより、マスク本体１０の上部がマスク本体１０の下部よりも横幅方向に伸びやすい構成、すなわち温熱具１００の上部が温熱具１００の下部よりも横幅方向に伸びやすい構成が実現されている。
【００６９】
〔第３実施形態〕
次に、図１４を用いて第３実施形態に係る温熱具１００について説明する。
本実施形態に係る温熱具１００は、以下に説明する点で、上記の第１実施形態に係る温熱具１００と相違しており、その他の点では第１実施形態に係る温熱具１００と同様に構成されている。
【００７０】
本実施形態の場合、マスク本体１０の左目覆い部１０ａ及び右目覆い部１０ｂの各々の上縁部には、当該マスク本体１０の上縁から下方に延びる１つ又は複数の切れ込み部（本実施形態の場合、例えば、スリット４４）が形成されている。
これにより、マスク本体１０の上部がマスク本体１０の下部よりも横幅方向に伸びやすい構成、すなわち温熱具１００の上部が温熱具１００の下部よりも横幅方向に伸びやすい構成が実現されている。
各スリット４４は、第１シート１１及び第２シート１２に形成されており、第１シート１１のスリットと第２シート１２のスリット４４とは、平面視において互いに重なっている。
なお、切れ込み部は、スリット４４ではなく、切欠形状部であってもよい。
【００７１】
なお、本実施形態の場合、温熱具１００は、スリット４１を有していなくてもよいし、有していてもよい。
【００７２】
〔第４実施形態〕
次に、第４実施形態に係る温熱具について説明する。
本実施形態に係る温熱具は、以下に説明する点で、上記の第１実施形態に係る温熱具１００と相違しており、その他の点では第１実施形態に係る温熱具１００と同様に構成されている。
【００７３】
本実施形態の場合、温熱具の上部は、温熱具の下部と比べて、横幅方向の伸展性が高い材により構成されている。
これにより、温熱具１００の上部が温熱具１００の下部よりも横幅方向に伸びやすい構成が実現されている。
【００７４】
例えば、マスク本体１０の上部は、マスク本体１０の下部と比べて、横幅方向の伸展性が高い材により構成されている。
或いは、各耳掛け部３０の上部は、各耳掛け部３０の下部と比べて、横幅方向の伸展性が高い材により構成されている。
【００７５】
マスク本体１０の上部の伸展性をマスク本体１０の下部の伸展性よりも高くする手法としては、例えば、マスク本体１０の上部を構成する不織布の目付を、マスク本体１０の下部を構成する不織布の目付よりも小さくすることが挙げられる。この場合、マスク本体１０の上部と下部とは、粘着、接着又はヒートシールによって相互に接合することができる。
マスク本体１０の上部の伸展性をマスク本体１０の下部の伸展性よりも高くする他の手法としては、マスク本体１０の下部に熱プレスを加えることによってマスク本体１０の下部をごわつかせることが挙げられる。
【００７６】
耳掛け部３０の上部の伸展性を耳掛け部３０の下部の伸展性よりも高くする手法についても、マスク本体１０の場合と同様である。
すなわち、耳掛け部３０の上部を構成する不織布の目付を、耳掛け部３０の下部を構成する不織布の目付よりも小さくすることや、耳掛け部３０の下部に熱プレスを加えることによって耳掛け部３０の下部をごわつかせることなどが挙げられる。
【００７７】
なお、本実施形態の場合、温熱具１００は、スリット４１を有していなくてもよいし、有していてもよい。
【００７８】
本発明は上記の実施形態に限定されるものではなく、本発明の目的が達成される限りにおける種々の変形、改良等の態様も含む。
【００７９】
例えば、上記においては、伸展構造部が固定部３３の近傍に配置されている態様として、伸展構造部が耳掛け部３０に設けられている例を説明したが、伸展構造部はマスク本体１０において固定部３３の近傍の部分に設けられていてもよい。
また、発熱体２０は、蒸気を放出しない発熱性のものであってもよい。したがって、温熱具１００は、蒸気温熱具ではなく、単なる温熱具であってもよい。
【００８０】
また、上記の各実施形態は、本発明の主旨を逸脱しない範囲で、適宜に組み合わせることができる。
【００８１】
上記実施形態は、以下の技術思想を包含する。
＜１＞両目を覆うマスク本体と、前記マスク本体に設けられた発熱体と、前記マスク本体の横幅方向における両端部に対して各々の一端部が固定されていて耳に掛けられる一対の耳掛け部と、を備える温熱具であって、
当該温熱具の上部が当該温熱具の下部よりも横幅方向に伸びやすく構成されている温熱具。
＜２＞当該温熱具の上部を当該温熱具の下部よりも横幅方向に伸びやすくする伸展構造部が、前記マスク本体に対する前記耳掛け部の固定部の近傍に配置されている＜１＞に記載の温熱具。
＜３＞前記伸展構造部は、前記耳掛け部の上部に形成された上部開口を含んで構成されている＜２＞に記載の温熱具。
＜４＞当該温熱具の上部は、当該温熱具の下部と比べて、横幅方向の伸展性が高い材により構成されている＜１＞から＜３＞のいずれか一項に記載の温熱具。
＜５＞前記マスク本体の横幅方向の中央部において、上縁部に形成されている上側切れ込み部と、下縁部に形成されている下側切れ込み部と、を備え、
前記上側切れ込み部が前記下側切れ込み部よりも深い＜１＞から＜４＞のいずれか一項に記載の温熱具。
＜６＞前記一対の耳掛け部の各々は、当該耳掛け部を耳に掛けるための耳掛け用開口を有し、
前記耳掛け用開口は、前記耳掛け部の横幅方向において、前記マスク本体に対する前記耳掛け部の固定部から遠ざかる方向に下り傾斜している＜１＞から＜５＞のいずれか一項に記載の温熱具。
＜７＞前記マスク本体に対する前記耳掛け部の固定部は、前記マスク本体の上下方向における中央位置よりも下方にずれて配置されている＜１＞から＜６＞のいずれか一項に記載の温熱具。
＜８＞前記マスク本体に対する前記一対の耳掛け部の固定部は、それぞれ上下に延在しているとともに、互いに平行に延在している＜１＞から＜７＞のいずれか一項に記載の温熱具。
【符号の説明】
【００８２】
１０  マスク本体
１０ａ  左目覆い部
１０ｂ  右目覆い部
１１  第１シート
１２  第２シート
１３  接合部
１４  上側スリット
１５  下側スリット
１６  上側切欠形状部
１７  下側切欠形状部
１８  収容空間
２０  発熱体
２１  第１被覆シート
２２  第２被覆シート
２３  発熱部
２４  接合部
３０  耳掛け部
３１  耳掛け部構成シート
３２  耳掛け用開口
３３  固定部
３４  第１耳掛け用スリット
３５  第２耳掛け用スリット
３６  易破断部
３７  スリット
４１  スリット（上部開口、伸展構造部）
４２  貫通孔（上部開口、伸展構造部）
４３  ひだ（伸展構造部）
４４  スリット
５１  顔
５２  目
５３  鼻
５４  耳
１００  温熱具
【図１】
2018108195.tif 000003
【図２】
2018108195.tif 000004
【図３】
2018108195.tif 000005
【図４】
2018108195.tif 000006
【図５】
2018108195.tif 000007
【図６】
2018108195.tif 000008
【図７】
2018108195.tif 000009
【図８】
2018108195.tif 000010
【図９】
2018108195.tif 000011
【図１０】
2018108195.tif 000012
【図１１】
2018108195.tif 000013
【図１２】
2018108195.tif 000014
【図１３】
2018108195.tif 000015
【図１４】
2018108195.tif 000016